(57)【要約】【課題】１／２波長板及び該１／２波長板のＰＢＳへの接着剤を強制空冷する冷却ファンを不要とする液晶プロジェクタを実現する。【解決手段】ＰＢＳ４から出射されたＳ波又はＰ波のいずれかを９０度旋光させてＰ波又はＳ波に偏光方向を揃える１／２波長板５が水晶５ａからなり、１／２波長板５をＰＢＳ４の出射側側面に接着する接着剤として、耐熱・耐光性能に富む紫外線硬化性樹脂又は無機系材料からなる接着剤を用いる。なお、１／２波長板５を構成する水晶５ａが、１枚の水晶基板を用いて成っている場合、該水晶基板の光学軸を、また、複数枚の水晶基板を積層させて成っている場合、積層された複数枚の該水晶基板の厚みや光学軸方向を調整して総合した水晶光学軸を、入射されるＳ波又はＰ波の偏光面に対して４５度又は１３５度に傾斜させる。また、１／２波長板５は、ＰＢＳ４に接着せずに、ＰＢＳ４の出射側側面に近接配置しても良い。【選択図】        図１
2004309853.tif 000002
【特許請求の範囲】
【請求項１】
光源ランプから、複数のレンズセルからなるフライアイレンズを介して出射されてきたランダム光をＳ波とＰ波とに分離して出射するＰＢＳと、該ＰＢＳから出射されたＳ波又はＰ波のいずれかを旋光させて、Ｐ波又はＳ波に偏光方向を揃える１／２波長板と、該１／２波長板により偏光方向が揃えられたＰ波又はＳ波を入射して画像を形成する液晶パネルと、該液晶パネルにより形成された画像を拡大投影する投射レンズとからなる液晶プロジェクタにおいて、前記１／２波長板が水晶から構成されていることを特徴とする液晶プロジェクタ。
【請求項２】
請求項１に記載の液晶プロジェクタにおいて、前記１／２波長板を構成する水晶が、１枚の水晶基板を用いて成っている場合には、該水晶基板の光学軸を、入射されるＳ波又はＰ波の偏光面に対して４５度又は１３５度に傾斜させていることを特徴とする液晶プロジェクタ。
【請求項３】
請求項１に記載の液晶プロジェクタにおいて、前記１／２波長板を構成する水晶が、複数枚の水晶基板を積層させて成っている場合には、積層された複数枚の該水晶基板を総合した水晶光学軸を、入射されるＳ波又はＰ波の偏光面に対して４５度又は１３５度に傾斜させていることを特徴とする液晶プロジェクタ。
【請求項４】
請求項１乃至３のいずれかに記載の液晶プロジェクタにおいて、前記１／２波長板が、前記ＰＢＳの出射側側面に近接して又は接着して配置されていることを特徴とする液晶プロジェクタ。
【請求項５】
請求項４に記載の液晶プロジェクタにおいて、前記１／２波長板が、前記ＰＢＳの出射側側面に接着して配置される場合、紫外線硬化性樹脂又は無機系材料からなる接着剤を用いて接着していることを特徴とする液晶プロジェクタ。
【発明の詳細な説明】
【０００１】
【発明の属する技術分野】
本発明は、液晶プロジェクタに関わり、特に、照明光を照射するための照明光学系における冷却改善を図った液晶プロジェクタに関する。
【０００２】
【従来の技術】
従来、液晶プロジェクタにおいて、ＰＢＳ（Ｐｏｌａｒｉｚｅｄ  Ｂｅａｍ  Ｓｐｌｉｔｔｅｒ：偏光ビームスプリッタ）に１／２波長板を接着させて、偏光光を有効に使用するような構成が広く採用されているが、ＰＢＳに接着されることになる１／２波長板の材質は、有機物で製造されており、また、該１／２波長板をＰＢＳに接着させるための接着剤も、１／２波長板の特性を阻害しないように、有機系の特殊な接着剤が用いられており、耐熱・耐光性能が極めて弱いという欠点がある。
【０００３】
ここに、図３は一般的な液晶プロジェクタの光学系構成図を示し、図４は、ＰＢＳへ貼り付けた１／２波長板の形態を示す模式図であり、従来例におけるＰＢＳへ貼り付けた１／２波長板の側面図を示している。
【０００４】
図３の光学系構成図に示すように、一般的に、液晶プロジェクタは、光源ランプ１、第１フライアイレンズ２、第２フライアイレンズ３、ＰＢＳ（偏光ビームスプリッタ）４、１／２波長板５、照明系レンズ６ａ，６ｂ、偏光子７、液晶パネル８、検光子９、投射レンズ１０、により構成されている。
ここに、第１フライアイレンズ２は、複数の矩形形状のレンズセルからなり、また、第２フライアイレンズ３は、第１フライアイレンズ２の各レンズセルに対応して配置されている矩形形状のレンズセルの集合体からなっており、光源ランプ１からのアーク像を２次光源像として投射させる。
【０００５】
また、ＰＢＳ４は、第２フライアイレンズ３から出射されたランダム光をＳ波とＰ波とに分離するものであり、１／２波長板５は、ＰＢＳ４から出射された光をＳ波又はＰ波のいずれかの偏光方向に揃えるためのものである。
１／２波長板５によりＳ波又はＰ波のいずれかの偏光方向に揃えられて出射された光は、照明系レンズ６ａ，６ｂを介して、偏光子７により偏光位相が整えられて、液晶パネル８に入射され、画像信号に応じて変調された透過光として出射される。液晶パネル８により変調されて形成された画像（透過光）は、検光子９を介して投射レンズ１０に入射され、スクリーン上に拡大投影される。
【０００６】
ここで、１／２波長板５は、図４に示すように、有機物５ｂからなるシートを用いて製作されており、１／２波長板５を構成する有機物５ｂの特性変化が生じないように、有機系の特殊な接着剤を用いて、ＰＢＳ４のＰ波又はＳ波のいずれか（図４においては、Ｐ波）の出射側側面に貼り付けられている。
第２フライアイレンズ３から入射されてくるランダム光（Ｐ波＋Ｓ波）は、ＰＢＳ４のダイクロイック膜面４ａにおいて、Ｐ波が透過光とされ、Ｓ波は反射光とされて分光される。ダイクロイック膜面４ａで反射されたＳ波は、更に、ＰＢＳ４の全反射膜面４ｂで反射され、照明系レンズ６ａ方向に出射される。
【０００７】
一方、ダイクロイック膜面４ａを透過したＰ波は、ＰＢＳ４の出射側側面に貼り付けられた１／２波長板５に入射されて、Ｓ波の偏光面へと９０度旋光されて、照明系レンズ６ａ方向に出射される。よって、照明系レンズ６ａ方向に出射される光は、ダイクロイック膜面４ａを透過したＰ波も１／２波長板５によりＳ波に旋光されることにより、ダイクロイック膜面４ａで反射され、全反射膜面４ｂで反射されたＳ波と偏光方向が揃う状態とされる。ここで、１／２波長板５に有機物５ｂを用いているために、１／２波長板５をＰＢＳ４に接着するための接着剤は、前述したように、耐熱・耐光性能が極めて弱い有機系の特殊なものを用いている必要があり、液晶プロジェクタとしては、強制空冷を行なう冷却ファンを備えることが必須とされている。
【０００８】
液晶プロジェクタの冷却機構を削除する技術に関しては、例えば、特許文献１に示す特開２００１−２２８５６９号公報「照明光学系およびこれを用いた投射型表示装置」に開示されている技術がある。該特許文献１においては、スクリーン上の照明光の明るさを調整する手段として、投射レンズに絞りを設ける代わりに、櫛形偏光分離プリズムアレイと１／２波長板とからなるＰＢＳ板に対して固定とされた第１遮光板と、光軸と直交する方向に移動可能とされた第２遮光板とが、フライアイレンズと前記ＰＢＳ板との間に配されており、前記第２遮光板を駆動する遮光板駆動部材を備えてなり、前記第１遮光板及び第２遮光板が、共に、同一の所定ピッチで穿設された短冊状のスリットを複数個備えることにより、投射レンズの瞳位置と光学的に共役となるインテグレータ部付近において、液晶パネルのライトバルブ上における有効光束の光量を調整可能にせんとする構成が提案されており、もって、従来の絞りを用いて画像情報を担持する照明光を絞るために生じていた画質に影響を与えることもなく、また、従来の絞りが照明光による高温加熱に伴って熱変形することを防止するために設けられていた特別な冷却構造を設けることもなく、照明光の明るさを調整可能とする技術が開示されている。
【０００９】
また、ＰＢＳの製造を容易化する技術としては、特許文献２に示す特開２００２−４０２４６号公報「偏光変換素子及びその製造方法並びに液晶プロジェクタ」に開示されている技術がある。特許文献２においては、ＰＢＳを構成する各プリズムの入射側側面に入射光を遮蔽する遮光マスクを交互に高精度で貼り付ける代わりに、断面が平行四辺形状からなる２個のプリズムの側面同士を互いに突き合わせて複数個交互に光学接着剤等を用いて貼り合わせる際に、貼り合わせる各プリズムの境界面の一方にはダイクロイック膜が交互に存在し、他方には、光吸収膜と全反射膜とを積層した２つの層が交互に存在するように配置し、更に、プリズムの下面である出射側側面には１／２波長板を交互に設けるものが提案されており、もって、高い偏光変換効率を有し、製造が容易でかつ低コストとなる偏光変換素子及びその製造方法並びに液晶プロジェクタを実現する技術が開示されている。
【００１０】
更に、１／２波長板の製造を容易化する技術としては、特許文献３に示す特開２００２−２２８８３６号公報「偏光変換素子及び液晶プロジェクタ用投光装置」に開示されている技術がある。特許文献３においては、入射した自然光を互いに直交する２つの直線偏光に分離するＰＢＳと、分離した２つの直線偏光のうち１つの直線偏光の偏光方向を１／２波長板によって９０度旋光して２つの直線偏光の偏光方向を一致させる偏光変換素子において、前記１／２波長板が、従来の遅相軸を交差させた状態の複数枚（通常３枚）の高分子延伸フィルムを積層し貼合して製造する代わりに、固有複屈折値が正の樹脂からなるフィルムと固有複屈折値が負の樹脂からなるフィルムとの積層体から構成されているものが提案されており、もって、煩雑な工程を経ることなく、簡易に１／２波長板を形成することができ、人間が認識可能な可視光領域のいずれの波長においても、高性能な偏光変換素子を提供する技術が開示されている。
【００１１】
【特許文献１】
特開２００１−２２８５６９号公報（第４−５頁、図１、図２）
【特許文献２】
特開２００２−４０２４６号公報（第４−５頁、図１）
【特許文献３】
特開２００２−２２８８３６号公報（第３−５、８頁、図６）
【００１２】
【発明が解決しようとする課題】
一般に、時代と共に、光源ランプの高出力化、短アーク長化が進行してきて、ＰＢＳ及び該ＰＢＳに接着されている１／２波長板に対する熱負荷も増大してきている。しかし、ＰＢＳ自体の耐熱温度は十分に高いものの、１／２波長板とその接着剤（１／２波長板をＰＢＳに接着するための接着剤）との双方の耐熱温度は低く（約９０℃）、そのために、近年は、冷却ファンを用いて１／２波長板とその接着剤とを強制空冷している液晶プロジェクタの製品が多くなってきている。
【００１３】
而して、冷却ファンの回転騒音が高く、液晶プロジェクタ商品としての訴求力が劣化してしまうという結果を招いている。また、液晶プロジェクタの使用中においては、１／２波長板や接着剤は、高温下と高光量下の条件に常に曝された状態に置かれてしまうために、液晶プロジェクタの使用時間の経過と共に、徐々に１／２波長板や接着剤に焼け状態が進行して、明るさ性能を低下させていくこととなってしまう。また、従来の１／２波長板の接着剤は、１／２波長板の特性を満足させるために、有機系の接着剤しか選定できなかったので、１／２波長板の性能劣化が、該接着剤の劣化から最初に始まるぐらいに、耐熱・耐光性能が弱いという欠点を有していた。
【００１４】
本発明は、かかる事情に鑑みてなされたものであり、１／２波長板を構成する材料として水晶を用いて構成することにより、該１／２波長板をＰＢＳの出射側側面に近接して配置する場合のみならず、ＰＢＳの出射側側面に接着させて配置する場合に用いる場合においても、接着剤として、耐熱・耐光性能に優れた紫外線硬化性樹脂又は無機系材料の接着剤を用い、冷却ファンによる強制空冷を不要とする液晶プロジェクタを提供することを可能にせんとするものである。
【００１５】
【課題を解決するための手段】
第１の技術手段は、光源ランプから、複数のレンズセルからなるフライアイレンズを介して出射されてきたランダム光をＳ波とＰ波とに分離して出射するＰＢＳと、該ＰＢＳから出射されたＳ波又はＰ波のいずれかを旋光させて、Ｐ波又はＳ波に偏光方向を揃える１／２波長板と、該１／２波長板により偏光方向が揃えられたＰ波又はＳ波を入射して画像を形成する液晶パネルと、該液晶パネルにより形成された画像を拡大投影する投射レンズとからなる液晶プロジェクタにおいて、前記１／２波長板が水晶から構成されている液晶プロジェクタとすることを特徴とするものである。
而して、前記１／２波長板の材質を従来の有機物から無機系の水晶へと変更することにより、前記１／２波長板の耐熱・耐光性能を飛躍的に向上させることができる。
【００１６】
第２の技術手段は、前記第１の技術手段に記載の液晶プロジェクタにおいて、前記１／２波長板を構成する水晶が、１枚の水晶基板を用いて成っている場合には、該水晶基板の光学軸を、入射されるＳ波又はＰ波の偏光面に対して４５度又は１３５度に傾斜させている液晶プロジェクタとすることを特徴とするものである。
而して、１／２波長板を構成する１枚の水晶基板の水晶光学軸を入射されてくるＳ波又はＰ波に対して４５度又は１３５度に傾斜させることにより、人間の目で認識することができる可視光領域のいずれの波長においても、広帯域に、９０度旋光させる旋光特性を得ることができる。
【００１７】
第３の技術手段は、前記第１の技術手段に記載の液晶プロジェクタにおいて、前記１／２波長板を構成する水晶が、複数枚の水晶基板を積層させて成っている場合には、積層された複数枚の該水晶基板を総合した水晶光学軸を、入射されるＳ波又はＰ波の偏光面に対して４５度又は１３５度に傾斜させている液晶プロジェクタとすることを特徴とするものである。
而して、複数枚の前記水晶基板の厚さや光学軸方向を調整して、積層された複数枚の前記水晶基板を総合した水晶光学軸を、入射されるＳ波又はＰ波の偏光面に対して正確に角度調整することを可能とし、１／２波長板が１枚の水晶基板を用いて構成されている場合よりも旋光性能の入射角度依存性を良くすることができる。
【００１８】
第４の技術手段は、前記第１乃至第３の技術手段のいずれかに記載の液晶プロジェクタにおいて、前記１／２波長板が、前記ＰＢＳの出射側側面に近接して又は接着して配置されている液晶プロジェクタとすることを特徴とするものである。
而して、１／２波長板をＰＢＳに接着せずに近接配置することにより液晶プロジェクタの製造コストを低減することができる。
【００１９】
第５の技術手段は、前記第４の技術手段に記載の液晶プロジェクタにおいて、前記１／２波長板が、前記ＰＢＳの出射側側面に接着して配置される場合、紫外線硬化性樹脂又は無機系材料からなる接着剤を用いて接着している液晶プロジェクタとすることを特徴とするものである。
而して、１／２波長板が水晶を用いて構成されることによって、従来のように、接着剤を特殊なものにしなければならないという制約が少なくなり、耐熱温度・耐光性能の高い紫外線硬化性樹脂又は無機系材料からなる接着剤を使用することができる。
【００２０】
【発明の実施の形態】
本発明に係る液晶プロジェクタの実施の形態の一例について、図面を参照しながら以下に説明する。ここに、本発明に係る液晶プロジェクタの実施の形態を説明する光学系の構成としては、従来技術において説明した図３の光学系構成図と同様の構成からなっている場合を用いて説明する。
即ち、本発明に係る液晶プロジェクタの一実施形態を示す光学系の構成は、図３の光学系構成図に示すように、光源ランプ１、第１フライアイレンズ２、第２フライアイレンズ３、ＰＢＳ（偏光ビームスプリッタ）４、１／２波長板５、照明系レンズ６ａ，６ｂ、偏光子７、液晶パネル８、検光子９、投射レンズ１０、により構成されており、光学系の各構成部品は、ＰＢＳ４及び１／２波長板５以外を除いて、従来の技術において前述した通りである。
【００２１】
図１、図２は、それぞれ、図３に示す液晶プロジェクタの光学系の構成において、ＰＢＳ４へ貼り付けた１／２波長板５の形態を示す模式図であり、図１は、本発明に係る実施の形態の一例を示し、ＰＢＳ４へ貼り付けた１／２波長板５の側面図であり、図２は、本発明に係る実施の形態の一例を示し、ＰＢＳ４へ貼り付けた１／２波長板５の液晶パネル８側から見た正面図であり、１／２波長板５を構成する水晶の光学軸を合わせて示している。
【００２２】
図１の本発明に係る実施の形態の一例を示すＰＢＳ４と１／２波長板５との側面図のように、複数のレンズセルからなる第２フライアイレンズ３から入射されてくるランダム光（Ｐ波＋Ｓ波）は、ＰＢＳ４のダイクロイック膜面４ａにおいて、Ｐ波が透過光とされ、Ｓ波は反射光とされて分光される。ダイクロイック膜面４ａで反射されたＳ波は、更に、ＰＢＳ４の全反射膜面４ｂで反射され、照明系レンズ６ａ方向に出射される。一方、ダイクロイック膜面４ａを透過したＰ波は、ＰＢＳ４の出射側側面に貼り付けられた１／２波長板５に入射する。
【００２３】
ここで、本発明に係る１／２波長板５は、旋光特性を有する水晶５ａにより構成されており、水晶５ａの光学軸はＰ波に対して４５度に設定されている。而して、１／２波長板５に入射されたＰ波は、１／２波長板５を構成する水晶５ａにより９０度旋光されて、Ｓ波の偏波光とされて、照明系レンズ６ａ方向に出射される。よって、照明系レンズ６ａ方向に出射される光は、ダイクロイック膜面４ａを透過したＰ波も１／２波長板５によりＳ波に旋光されることにより、ダイクロイック膜面４ａで反射され、全反射膜面４ｂで更に反射されたＳ波と偏光方向が揃う状態にされる。
【００２４】
なお、１／２波長板５を構成する水晶５ａは、光学軸を、入射されてくるＰ波に対して４５度のみでなく１３５度に傾斜させたものであっても良く、入射されたＰ波を９０度又は１８０度のいずれに旋光させても、Ｓ波の偏波光として出射することができる。また、後述するように、１／２波長板５に入射される光をＰ波ではなく、Ｓ波とするように構成しても良く、かかる場合にあっては、水晶５ａの光学軸を、入射されてくるＳ波に対して４５度のみでなく１３５度に傾斜させて設定することにより、入射されたＳ波を９０度又は１８０度のいずれかに旋光させて、Ｐ波の偏波光として出射することができる。
【００２５】
また、１／２波長板５は接着剤によりＰＢＳ４の出射側側面に接着されるが、１／２波長板５が水晶５ａから構成されていることにより、１／２波長板５をＰＢＳ４に接着する接着剤としては、ダイクロイック膜面４ａや全反射膜面４ｂをＰＢＳ４に接着する際に用いる接着剤と同等の耐熱・耐光性能を有する紫外線硬化性樹脂又は無機系材料からなる接着剤を使用することができる。
なお、接着剤の材質としては、かかる材料のみに限るものではなく、耐熱・耐光性能に富む接着剤であれば、如何なる接着剤を用いても構わない。
【００２６】
また、水晶５ａからなる１／２波長板５をＰＢＳ４の出射側側面に接着させずに、ＰＢＳ４の出射側側面に近接して配置することにより光学系を構成することも可能である。また、図１に示す光学系構成図においては、第２フライアイレンズ３とＰＢＳ４とが離れて配置されているが、透過率の向上や相対位置精度の向上などの理由から、第２フライアイレンズ３とＰＢＳ４とを接着するように構成することとしても良い。
【００２７】
また、図１に示す実施例においては、ＰＢＳ４のダイクロイック膜面４ａを透過したＰ波を、１／２波長板５を構成する水晶５ａによってＳ波に旋光させて、ダイクロイック膜面４ａで反射されたＳ波と偏光方向を揃えている例を示しているが、逆に、ＰＢＳ４の出射側側面に配置する１／２波長板５の位置を、ＰＢＳ４のダイクロイック膜面４ａを透過してくるＰ波側ではなく、ＰＢＳ４の全反射膜面４ｂで反射されたＳ波側の出射側側面に配置して、全反射膜面４ｂで反射されて出射されてきたＳ波を９０度旋光させて、Ｐ波の偏波光として出射させることにより、照明系レンズ６ａ方向に出射される光としてＰ波に偏光方向を揃えるようにしても良い。かかる場合にあっては、前述したように、１／２波長板５を構成する水晶５ａの光学軸は、入射されるＳ波に対して４５度又は１３５度に傾斜させて設定すれば良い。
【００２８】
図２は、図３の光学系構成図に示したＰＢＳ４へ貼り付けた１／２波長板５の様子を液晶パネル８側から見た正面図であり、１／２波長板５を構成する水晶５ａを１枚の水晶基板を用いて製作している場合の水晶の光学軸方向も合わせて示している説明図である。１／２波長板５を構成する水晶５ａの水晶光学軸ａを、図２に示すように、水晶５ａ透過前のＰ波の偏光面α１に対して４５度に傾斜させて設定することによって、図１に示すダイクロイック膜面４ａを透過して入射されてきたＰ波を、人間の目で認識することができる可視光領域のいずれの波長においても、広帯域に、９０度正しく旋光させて、図２に示す水晶５ａ透過後のＳ波の偏光面α２に変換して出射することにより、図１のＰＢＳ４のダイクロイック膜面４ａで反射して更に全反射膜面４ｂで反射して出射されてきたＳ波即ち図２に示すＳ波の偏光面（ＰＢＳ４の出射後）α３と同じ偏光方向に揃えることができる。
ここで、１／２波長板５を構成する水晶５ａの旋光性能としては、全体の明るさや色度や色むらなどに関して、従来の１／２波長板として用いられている有機物シートの場合と同等の性能が得ることが可能である。
【００２９】
図１及び図２に示すように、ＰＢＳ４に貼り付ける１／２波長板５の材質を、従来の有機物のシートから無機系の水晶５ａへと変更することにより、従来の有機物シートの場合に比し１／２波長板５そのものの耐熱・耐光性能を飛躍的に向上させることができる。また、１／２波長板５をＰＢＳ４に貼り付ける接着剤も、１／２波長板５の材質を水晶５ａに変更することによって、従来のように、有機系の特殊な接着剤を用いなければならないという制約がなくなり、ダイクロイック膜や全反射膜をＰＢＳ４に貼り付ける接着剤と同様の耐熱・耐光性能を有する紫外線硬化性樹脂又は無機系材料のごとき接着剤を用いることが可能であり、従来の接着剤に比し耐熱・耐光性能の高い接着剤とすることができる。もって、自然空冷による液晶プロジェクタを実現することが可能となり、従来のように、騒音源となる冷却ファンを用いて１／２波長板や接着剤を強制空冷しなくても良くなる。
【００３０】
また、１／２波長板５を１枚の水晶基板を用いて成っている場合にあっては、旋光性が入射光の入射角度に依存して変化する入射角度依存性を若干伴う傾向が生じるため、かかる場合を避ける方策として、複数枚の水晶基板を用いて、それぞれの厚みや光学軸方向を適宜調整して積層させて構成することにより、積層させた複数枚の水晶基板を総合した水晶光学軸を、入射されるＰ波又はＳ波の偏光面に対してより正確に４５度又は１３５度に傾斜させて設定することを可能とし、もって、旋光性能に関する入射角度依存性を、１枚の水晶基板を用いて成っている場合よりも改善することが可能である。
【００３１】
【発明の効果】
ＰＢＳ（偏光ビームスプリッタ）に近接して又は接着して配置する１／２波長板の材質を従来の有機物から無機系の水晶へ変更することにより、耐熱・耐光性能を飛躍的に向上することができ、自然空冷による液晶プロジェクタを実現することが可能となり、従来のように、騒音源となる冷却ファンを用いて１／２波長板を強制空冷しなくても良くなる。
【００３２】
水晶により構成した１／２波長板をＰＢＳ側面に貼り付ける接着剤も、ダイクロイック膜や全反射膜をＰＢＳに貼り付ける接着剤と同様に、耐熱温度・耐光性能の高い接着剤を使用することができるので、冷却ファンを用いることなく、自然空冷のみを用いてＰＢＳ周辺を冷却することとしても良い液晶プロジェクタを構成することができる。
【００３３】
１／２波長板が１枚の水晶基板を用いて成っている場合は、該水晶基板の光学軸を入射してくるＰ波又はＳ波に対して４５度又は１３５度に傾斜させるように設定することにより、人間の目で認識することができる可視光領域のいずれの波長においても、広帯域に、９０度正確に旋光させたＳ波又はＰ波を出射する旋光特性を得ることが可能であり、従来の有機物シートを用いた１／２波長板の場合と同等の性能が得られる。
【００３４】
１／２波長板を複数の水晶基板を積層させて成っている場合は、積層された複数枚の水晶基板を用いて厚みや光学軸方向を適宜調整して積層させて構成することにより、積層させた複数枚の水晶基板を総合した水晶光学軸を、入射されるＰ波又はＳ波の偏光面に対してより正確に４５度又は１３５度に傾斜させて設定することを可能とし、もって、旋光性能に関する入射角度依存性を、１／２波長板が１枚の水晶基板を用いて成っている場合よりも改善することができる。
【図面の簡単な説明】
【図１】本発明に係る実施の形態の一例を示し、ＰＢＳへ貼り付けた１／２波長板の側面図である。
【図２】本発明に係る実施の形態の一例を示し、ＰＢＳへ貼り付けた１／２波長板の液晶パネル側から見た正面図である。
【図３】一般的な液晶プロジェクタの光学系構成図である。
【図４】従来例におけるＰＢＳへ貼り付けた１／２波長板の側面図である。
【符号の説明】
１…光源ランプ、２…第１フライアイレンズ、３…第２フライアイレンズ、４…ＰＢＳ（偏光ビームスプリッタ）、４ａ…ダイクロイック膜面、４ｂ…全反射膜面、５…１／２波長板、５ａ…水晶、５ｂ…有機物、６ａ，６ｂ…照明系レンズ、７…偏光子、８…液晶パネル、９…検光子、１０…投射レンズ、ａ…水晶光学軸、α１…Ｐ波の偏光面（水晶透過前）、α２…Ｓ波の偏光面（水晶透過後）、α３…Ｓ波の偏光面（ＰＢＳ出射後）。
【図１】
2004309853.tif 000003
【図２】
2004309853.tif 000004
【図３】
2004309853.tif 000005
【図４】
2004309853.tif 000006